(57)【要約】【課題】血液ガス分析装置を使用している時に使用者が消耗品の交換時期や試薬の不足に気が付いたら直ぐに、その場で消耗品や試薬の発注依頼をすることが可能な血液ガス分析装置メンテナンスシステムを提供すること。【解決手段】本発明に係る血液ガス分析装置は、病院等の施設に設置される血液ガス分析装置と、有線通信又は無線通信によるネットワークを介して、前記血液ガス分析装置と通信可能に構成されたサーバー装置とを備えた血液ガス分析装置メンテナンスシステムであって、前記血液ガス分析装置が、消耗品を選択して消耗品発注情報を送信するための消耗品発注ボタンを備えた消耗品発注部を備え、前記消耗品発注ボタンが押されると、少なくとも対応する血液ガス分析装置の識別情報と前記消耗品発注情報とを含む発注用電子メールを自動的に作成し、かつ、ネットワークを介してサーバー装置へ前記電子メールを送信するように構成されている。【選択図】図３
2017221386.tif 000002
【特許請求の範囲】
【請求項１】
病院等の施設に設置される血液ガス分析装置と、
有線通信又は無線通信によるネットワークを介して、前記血液ガス分析装置と通信可能に構成されたサーバー装置と
を備えた血液ガス分析装置メンテナンスシステムであって、
前記血液ガス分析装置が、消耗品を選択して消耗品発注情報を送信するための消耗品発注ボタンを備えた消耗品発注部を備え、
前記消耗品発注ボタンが押されると、少なくとも対応する血液ガス分析装置の識別情報と前記消耗品発注情報とを含む発注用電子メールを自動的に作成し、かつ、ネットワークを介してサーバー装置へ前記電子メールを送信するように構成されている
ことを特徴とする血液ガス分析装置メンテナンスシステム。
【請求項２】
前記血液ガス分析装置が、消耗品仲介業者を通して取得する消耗品と、メンテナンス事業者から直接取得可能な消耗品とを識別可能に構成され、
選択された消耗品が、消耗品仲介業者を通して取得する消耗品である場合には、サーバー装置と同時に消耗品仲介業者用端末装置に前記発注用電子メールを作成し、かつ、
選択された消耗品が、メンテナンス事業者から直接取得可能な消耗品である場合には、サーバー装置と同時にメンテナンス事業者用端末装置に前記発注用電子メールを作成する
ように構成されている
ことを特徴とする請求項１に記載の血液ガス分析装置メンテナンスシステム。
【請求項３】
前記血液ガス分析装置の消耗品発注部が、消耗品のリストを表示し、該消耗品リストから発注すべき消耗品を選択して消耗品発注情報を作成することができるように構成されている
ことを特徴とする請求項１又は２に記載の血液ガス分析装置メンテナンスシステム。
【請求項４】
前記消耗品リストが、交換時期が近い又は不足している消耗品を優先的に表示することができるように構成されている
ことを特徴とする請求項３に記載の血液ガス分析装置メンテナンスシステム。
【請求項５】
前記血液ガス分析装置が、消耗品の発注情報を経時的に記憶し、過去の消耗品発注履歴を閲覧することができるように構成されている
ことを特徴とする請求項１〜４の何れか一項に記載の血液ガス分析装置メンテナンスシステム。
【請求項６】
前記血液ガス分析装置が、過去の消耗品発注履歴情報に基づいて、消耗品の使用速度及び／又は使用頻度を含む使用状況を判断し、その判断結果に基づいて消耗品の交換時期及び／又は補充時期を予測し、使用者に表示するように構成されている
ことを特徴とする請求項５に記載の血液ガス分析装置メンテナンスシステム。
【請求項７】
交換又は補充される消耗品に消耗品識別情報を記憶したＲＦＩＤを取り付け、
前記血液ガス分析装置が、消耗品の発注に応じて納品される消耗品の消耗品識別情報を、消耗品発注情報に関連付して記憶し、
前記血液ガス分析装置が、交換又は補充される消耗品のＲＦＩＤから消耗品識別情報を読み取り、前記消耗品発注情報に関連付して記憶された消耗品識別情報を使用済とする
ように構成されている
ことを特徴とする請求項１〜６の何れか一項に記載の血液ガス分析装置メンテナンスシステム。
【請求項８】
前記消耗品の発注に応じて納品される消耗品の消耗品識別情報が、サーバー装置から血液ガス分析装置に送信される
ことを特徴とする請求項７に記載の血液ガス分析装置メンテナンスシステム。
【請求項９】
前記血液ガス分析装置が、前記消耗品発注情報に関連付して記憶された消耗品識別情報の使用の有無に基づいて消耗品の在庫管理を行う手段を備えている
ことを特徴とする請求項７又は８に記載の血液ガス分析装置メンテナンスシステム。
【請求項１０】
前記血液ガス分析装置が、前記在庫管理情報と前記消耗品発注情報とに基づいて、消耗品の発注の適切性を判断するように構成されている
ことを特徴とする請求項９に記載の血液ガス分析装置メンテナンスシステム。
【請求項１１】
サーバー装置が、発注用電子メールに含まれる前記消耗品発注情報の内容を自動的に解析する発注情報解析手段を備えている
ことを特徴とする請求項１〜１０の何れか一項に記載の血液ガス分析装置メンテナンスシステム。
【請求項１２】
サーバー装置が、消耗品の発注情報を、対応する血液ガス分析装置の識別情報に関連付して経時的に記憶する記憶手段を備えている
ことを特徴とする請求項１〜１１の何れか一項に記載の血液ガス分析装置メンテナンスシステム。
【請求項１３】
サーバー装置が、前記記憶手段に記憶された過去の消耗品発注履歴情報に基づいて、対応する血液ガス分析装置における消耗品の使用速度及び／又は使用頻度を含む使用状況を判断し、その判断結果に基づいて消耗品の交換時期及び／又は補充時期を予測し、当該予測情報を対応する血液ガス分析装置に送信するように構成され、
血液ガス分析装置が前記予測情報を受信して使用者に予測内容を表示するように構成されている
ことを特徴とする請求項１２に記載の血液ガス分析装置メンテナンスシステム。
【発明の詳細な説明】
【技術分野】
【０００１】
本発明は、病院や検査機関等で用いられる血液ガス分析装置のメンテナンスシステムに関し、特に、消耗品発注に関するメンテナンスシステムに関する。
【背景技術】
【０００２】
従来から血液や尿等の体液等の検体の成分を分析して患者の健康状態を知るための装置として臨床化学分析装置が広く用いられている。臨床化学検査装置としては、具体的には、例えば、呼吸の状態や肺の状態等を調べるために、動脈血を採取して酸素や二酸化炭素の量等を調べる血液ガス分析装置等がある。
血液ガスの分析は、特に重篤な状態にある患者に対して行われる緊急性を要する検査であるため血液ガス分析装置は、２４時間常に正常に稼働する状態に保たれている必要がある。
このため血液ガス分析装置では、同じ精度管理物質を定期的に測定して、その測定結果に異常がないか否かをモニタする精度管理が行なわれている。精度管理には装置に組み込むことのできる専用の試薬を使用して自動で実施される自動精度管理と血液試料を測定するときと同じ操作手順で専用の試薬を使用して操作者が測定する日常の精度管理がある。これらの自動精度管理及び日常の精度管理は使用されている装置が適正に稼働していることを確認する目的で実施されるもので内部精度管理と言われている。
一方、内部精度管理では補いきれない異常の検出を行う目的又は複数の施設で管理される血液ガス分析データを同一の判断基準で臨床診断できるように規格化する目的で、メーカや第三者の団体又は機関が、測定者には測定されるべき結果がマスキングされた状態の試料を配布し、その試料を使って精度管理のための測定を実施する外部精度管理が定期的に行われている。
また、血液ガス分析装置は患者の血液検体を測定するため、他の分析機器に比較して汚れが付きやすく、また種々の治療を行うために処方される薬剤等の影響で装置に突然ダメージが与えられる場合もある。測定する試料によっては凝集物が混入しているものや粘張性の物質が混在している場合もあり、測定流路内に詰まりを生じて測定不能になる場合も発生し、各動作機構部に何等かのトラブルが発生することもある。
上記した精度管理の結果や動作機構部のトラブルによるエラーを、通信ネットワークを介して接続されたサーバー装置に、適当なタイミングで送信するように臨床化学分析装置を構成したサポートシステムは既に提案されている（特許文献１）。
【先行技術文献】
【特許文献】
【０００３】
【特許文献１】特許第４６９０２８４号
【発明の概要】
【発明が解決しようとする課題】
【０００４】
上記したサポートシステムによれば、精度管理の結果や動作機構部のトラブルによるエラーを、通信ネットワークを介して接続されたサーバー装置に、適当なタイミングで送信するため、トラブルや性能低下をサポートするのには適している。
しかし、血液ガス分析装置のサポートは、上記したトラブルや性能低下に対するサポートだけでは、必ずしも満足できるものではない。
血液ガス分析装置は臨床検査室に設置されて専門の技師による管理がなされる一般的な臨床検査機器と異なり、病棟、手術室、ICU及び救命救急施設等の病院内の様々な場所に設置され、同一施設内で複数の装置が稼働していることが多い装置である。測定も必ずしも医師が行うとは限らず、看護師や医療補助スタッフ等、様々な医療従事者が、血液ガス分析装置を用いて測定を行う。
血液ガス分析装置は、特に重篤な状態にある患者に対して行われる緊急性を要する検査であるため、２４時間常に正常に稼働する状態に保たれている必要があり、そのため、好ましくは、同一施設内にある全ての血液ガス分析装置は一か所で管理をすることが望ましいが、上記したように設置場所も複数あり、使用者も異なるため、全ての装置の現状を一か所で確実に管理し把握することは困難であった。
このため、装置内トラブルが原因ではなく、使用者が、試薬がなくなっていることや消耗品が交換されていないことに気付かず、それにより装置が停止することが比較的多い。
また、施設により異なるが、一般的には、消耗品等の発注は、発注依頼書に必要品目をチェックして業者やメーカにFAX等で注文したり、又は、その施設の管財課等に依頼をしたりすることで行われる。
消耗品の交換時期や試薬の不足は、血液ガス分析装置を使用している時に使用者が気が付くことが多いが、上記したように血液ガス分析装置は緊急性を要する検査に使用されることが多いため、血液ガス分析装置を使用している最中に消耗品の交換時期が近いことや試薬の残りが少ないことに気が付いても、発注依頼書にチェックをして注文をしたり、管財課等に連絡をする等の手間のかかる作業が必要になると、依頼や連絡が後回しになることがあり、場合によっては依頼や連絡をし忘れる可能性もある。
本発明は、上記した問題点を解決し、血液ガス分析装置を使用している時に使用者が消耗品の交換時期や試薬の不足に気が付いたら直ぐに、その場で消耗品や試薬の発注依頼をすることが可能な血液ガス分析装置メンテナンスシステムを提供することを目的としている。
【課題を解決するための手段】
【０００５】
上記した目的を達成するために、本発明に係る血液ガス分析装置メンテナンスシステムは、病院等の施設に設置される血液ガス分析装置と、有線通信又は無線通信によるネットワークを介して、前記血液ガス分析装置と通信可能に構成されたサーバー装置とを備えた血液ガス分析装置メンテナンスシステムであって、前記血液ガス分析装置が、消耗品を選択して消耗品発注情報を送信するための消耗品発注ボタンを備えた消耗品発注部を備え、前記消耗品発注ボタンが押されると、少なくとも対応する血液ガス分析装置の識別情報と前記消耗品発注情報とを含む発注用電子メールを自動的に作成し、かつ、ネットワークを介してサーバー装置へ前記電子メールを送信するように構成されていることを特徴としている。
前記血液ガス分析装置は、好ましくは、前記血液ガス分析装置が、消耗品仲介業者を通して取得する消耗品と、メンテナンス事業者から直接取得可能な消耗品とを識別可能に構成され、選択された消耗品が、消耗品仲介業者を通して取得する消耗品である場合には、サーバー装置と同時に消耗品仲介業者用端末装置に前記発注用電子メールを作成し、かつ、選択された消耗品が、メンテナンス事業者から直接取得可能な消耗品である場合には、サーバー装置と同時にメンテナンス事業者用端末装置に前記発注用電子メールを作成するように前記血液ガス分析装置が構成され得る。
また、前記血液ガス分析装置の消耗品発注部は、消耗品のリストを表示し、該消耗品リストから発注すべき消耗品を選択して消耗品発注情報を作成することができるように構成され得る。
この場合、前記消耗品リストは、交換時期が近い又は不足している消耗品を優先的に表示することができるように構成され得る。
また、前記血液ガス分析装置は、消耗品の発注情報を経時的に記憶し、過去の消耗品発注履歴を閲覧することができるように構成され得る。
さらに、前記血液ガス分析装置は、過去の消耗品発注履歴情報に基づいて、消耗品の使用速度及び／又は使用頻度を含む使用状況を判断し、その判断結果に基づいて消耗品の交換時期及び／又は補充時期を予測し、使用者に表示するように構成され得る。
また、前記サーバー装置は、発注用電子メールに含まれる前記消耗品発注情報の内容を自動的に解析する発注情報解析手段を有し得る。
さらに、前記サーバー装置は、消耗品の発注情報を、対応する血液ガス分析装置の識別情報に関連付して経時的に記憶する記憶手段を備え得る。
好ましくは、前記サーバー装置は、前記記憶手段に記憶された過去の消耗品発注履歴情報に基づいて、対応する血液ガス分析装置における消耗品の使用速度及び／又は使用頻度を含む使用状況を判断し、その判断結果に基づいて消耗品の交換時期及び／又は補充時期を予測し、当該予測情報を対応する血液ガス分析装置に送信するように構成され得、その場合、前記血液ガス分析装置は前記予測情報を受信して使用者に予測内容を表示するように構成され得る。
【発明の効果】
【０００６】
本発明に係る血液ガス分析装置メンテナンスシステムは、病院等の施設に設置される血液ガス分析装置と、有線通信又は無線通信によるネットワークを介して、前記血液ガス分析装置と通信可能に構成されたサーバー装置とを備えた血液ガス分析装置メンテナンスシステムであって、前記血液ガス分析装置が、消耗品を選択して消耗品発注情報を送信するための消耗品発注ボタンを備えた消耗品発注部を備え、前記消耗品発注ボタンが押されると、少なくとも対応する血液ガス分析装置の識別情報と前記消耗品発注情報とを含む発注用電子メールを自動的に作成し、かつ、ネットワークを介してサーバー装置へ前記電子メールを送信するように構成されているので、血液ガス分析装置を使用している時に使用者が消耗品の交換時期や試薬の不足に気が付いたら直ぐに、その場で消耗品や試薬の発注依頼をすることが可能になる。
また、前記血液ガス分析装置が、消耗品仲介業者を通して取得する消耗品と、メンテナンス事業者から直接取得可能な消耗品とを識別可能に構成され、選択された消耗品が、消耗品仲介業者を通して取得する消耗品である場合には、サーバー装置と同時に消耗品仲介業者用端末装置に前記発注用電子メールを作成し、かつ、選択された消耗品が、メンテナンス事業者から直接取得可能な消耗品である場合には、サーバー装置と同時にメンテナンス事業者用端末装置に前記発注用電子メールを作成するように構成されているので、使用者は発注先を意識せずに、必要な消耗品を選択するだけで、必要な発注先に消耗品の発注を行うことができるようになる。
前記血液ガス分析装置の消耗品発注部が、消耗品のリストを表示し、該消耗品リストから発注すべき消耗品を選択して消耗品発注情報を作成することができるように構成されているので、消耗品の発注が容易になる。
前記消耗品リストが、交換時期が近い又は不足している消耗品を優先的に表示することができるように構成されているので、使用者は、消耗品の発注をする時に、特に調べなくても交換時期が近い又は不足している消耗品を知ることが可能になる。
前記血液ガス分析装置が、消耗品の発注情報を経時的に記憶し、過去の消耗品発注履歴を閲覧することができるように構成されているので過去の発注履歴に基づいて、使用者が今後の予測をすることも可能である。
前記血液ガス分析装置が、過去の消耗品発注履歴情報に基づいて、消耗品の使用速度及び／又は使用頻度を含む使用状況を判断し、その判断結果に基づいて消耗品の交換時期及び／又は補充時期を予測し、使用者に表示するように構成されているので、熟練の使用者がいなくても、適切な時期に消耗品を発注することが可能になる。
交換又は補充される消耗品に消耗品識別情報を記憶したＲＦＩＤを取り付け、前記血液ガス分析装置が、消耗品の発注に応じて納品される消耗品の消耗品識別情報を、消耗品発注情報に関連付して記憶し、前記血液ガス分析装置が、交換又は補充される消耗品のＲＦＩＤから消耗品識別情報を読み取り、前記消耗品発注情報に関連付して記憶された消耗品識別情報を使用済とするように構成されているので、消耗品の在庫の管理を確実に行うことが可能になる。
前記消耗品の発注に応じて納品される消耗品の消耗品識別情報が、サーバー装置から血液ガス分析装置に送信されるように構成されることで、消耗品の在庫の管理をより正確に行うことが可能になる。
前記血液ガス分析装置を、前記在庫管理情報と前記消耗品発注情報とに基づいて、消耗品の発注の適切性を判断するように構成することで、無駄な消耗品の発注がなくなる。
サーバー装置に、発注用電子メールに含まれる前記消耗品発注情報の内容を自動的に解析する発注情報解析手段を設けることで、各血液ガス分析装置の消耗品の発注情報を自動的に解析して経時的に記憶していくことが可能になる。
サーバー装置を、前記記憶手段に記憶された過去の消耗品発注履歴情報に基づいて、対応する血液ガス分析装置における消耗品の使用速度及び／又は使用頻度を含む使用状況を判断し、その判断結果に基づいて消耗品の交換時期及び／又は補充時期を予測し、当該予測情報を対応する血液ガス分析装置に送信するように構成し、血液ガス分析装置を前記予測情報を受信して使用者に予測内容を表示するように構成することで、効率のよい消耗品の発注が可能になる。
【図面の簡単な説明】
【０００７】
【図１】本発明に係る血液ガス分析装置メンテナンスシステムの全体構造を示す図である。
【図２】血液ガス分析装置の一実施例の外観を示す斜視図である。
【図３】血液ガス分析装置、サーバー装置、消耗品仲介業者用端末装置及びメンテナンス作業者用端末装置の構造を示す概略ブロック図である。
【図４Ａ】消耗品発注部を構成する操作パネルの一実施例を示している。
【図４Ｂ】消耗品発注部を構成する操作パネルの一実施例を示している。
【図４Ｃ】消耗品発注部を構成する操作パネルの一実施例を示している。
【図４Ｄ】消耗品発注部を構成する操作パネルの一実施例を示している。
【図４Ｅ】消耗品発注部を構成する操作パネルの一実施例を示している。
【図４Ｆ】消耗品発注部を構成する操作パネルの一実施例を示している。
【発明を実施するための形態】
【０００８】
以下、添付図面を参照して本発明に係る血液ガス分析装置メンテナンスシステム（以下、メンテナンスシステムと称する。）の実施の形態について説明していく。
図１は、メンテナンスシステムの全体構造を示す図である。
図面に示すように、このメンテナンスシステムは、血液ガス分析装置として血液ガス分析装置１、サーバー装置２０、消耗品仲介業者用の端末装置３０及びメンテナンス業者用端末装置４０を備えている。血液ガス分析装置１は、病院等の施設に設置され、使用者によって使用されるものであり、有線又は無線によるネットワーク、例えば、インターネット又は専用回線に接続可能に構成されている。
図２は、血液ガス分析装置１の一実施例の外観を示す斜視図である。
図中、符号２は血液ガス分析装置１のケーシングを示しており、符号３は操作パネルとしても機能するモニタを示しており、符号４は分析結果等を印字するプリンタを示している。
ケーシング２の前面には較正液タンク５、廃液タンク６及び洗浄タンク７が着脱可能に装着されている。
ケーシング２には、分析すべき血液又は透析液が入ったシリンジ又はキャピラリ（図示せず）を装着するための容器装着部８が設けられており、容器装着部８にはシリンジ等の容器の装着を機械的に検知する容器検知センサ８ａが設けられている。前記したように該血液ガス分析装置では血液以外にも透析液の成分測定を行うが、以下の説明では便宜上分析すべき対象物を単に「血液」と称する。前記容器検知センサ８ａはバネによって上方に付勢されており、容器を装着する場合は、この容器検知センサ８ａを下方に押し下げながら装着するように構成されている。これにより、容器検知センサ８ａによってシリンジ等の容器の装着が機械的に検知され、誤操作等により容器が装着されていない時に誤って測定動作を行うことを防止する。
また、図２中、符号９ａはバーコードリーダを、符号９ｂはヒト検知センサを各々示している。バーコードリーダ９ａは、消耗品の補充や交換時の照合、患者ＩＤの照合又は測定者の照合等に使用される。
操作パネルとして機能するモニタ３を介して分析開始信号が入力されかつ、容器検知センサ８ａが容器を検知すると、容器の内部に不図示の吸引ノズルが侵入して血液を吸引し、内部に設けられた流路（図示せず）を通して流路の途中に設けられた測定電極（図示せず）まで血液を引き込み、測定電極（図示せず）によって所定の分析が行われるように構成されている。分析終了後に洗浄タンク７の洗浄液を使って流路は洗浄され、洗浄後の廃液は廃液タンク６へ送られる。
測定電極による測定項目は、例えば、血液の場合は、ｐＨ、二酸化炭素分圧、酸素分圧、ナトリウム、カリウム、クロール、カルシウム、グルコース、乳酸、ヘモグロビン、総ヘモグロビン濃度、動脈血酸素飽和度等であり、上記の測定項目の他に多数項目を演算によって算出する。
【０００９】
図３は血液ガス分析装置１、サーバー装置２０、消耗品仲介業者の端末装置３０及びメンテナンス作業者の端末装置４０の機能を示す概略構成図である。
血液ガス分析装置１は、容器装着部８に装着されたシリンジ又はキャピラリから血液を流路に吸引し、成分測定のために流路の途中に設けられた測定電極まで血液を引き込み、その後、血液を廃液して流路を洗浄するように構成されており、これらの動作機構を管理する動作管理部１０、分析及び較正を管理する分析・較正部１１、並びに精度管理を行う精度管理部１２を有する。
血液ガス分析装置１は、さらに、血液ガス分析装置で使用される消耗品の発注や管理等を行うために、消耗品発注部１３、在庫管理部１４、使用状況解析部１５及び記憶部１６を備えている。前記記憶部１６は、ハードディスクやメモリ等で構成され得、各処理部はプログラムによって構成され得る。
ここで血液ガス分析装置１における消耗品とは、使用によって減っていく物及び使用によって劣化及び／又は汚染されていく物であり、具体的には、前者としては、洗浄液、試液、較正液等があり、後者としては、電極やバルブ等がある。
【００１０】
前記消耗品発注部１３は、予め記憶部１６に記憶された発注可能な消耗品の名称をリスト形式で表示し、前記リストにおいて発注すべき消耗品を数を指定して選択することができるように構成されており、リストから数を指定して発注すべき消耗品を選択して「注文」ボタンを押すと、少なくとも対応する血液ガス分析装置の識別情報と消耗品発注情報とを含む発注用電子メールを自動的に作成する。
作成された電子メールは、送受信部１７によって、ネットワークを介してサーバー装置２０及び／又は少なくとも一つの消耗品仲介業者用端末装置３０及び／又はメンテナンス業者用端末装置４０へ前記電子メールを送信するように構成されている。
【００１１】
記憶部１６に記憶された消耗品は、消耗品仲介業者を通して取得可能な消耗品と、メンテナンス事業者から直接取得可能な消耗品との識別ができるように対応する識別情報と関連付けされており、消耗品発注情報には、前記識別情報も含まれている。
そして、消耗品発注用電子メールは、サーバー装置２０へ送信されると共に、メンテナンス業者から直接取得可能な消耗品を含んでいる場合にはメンテナンス業者用端末装置４０へ、また、消耗品仲介業者を通して取得可能な消耗品を含んでいる場合には対応する消耗品仲介業者の端末装置３０へ送信される。
【００１２】
前記消耗品発注情報には、少なくとも消耗品の種類及びその数が含まれる。また、好ましくは、消耗品発注部１３は、発注日、対応する血液ガス分析装置１の識別情報及び発注された消耗品の種類及び数を、予め決めた形式で結合した情報を件名として電子メールを作成する。
消耗品発注部１３により発注される消耗品発注情報は、その都度、記憶部１６に記憶される。
【００１３】
在庫管理部１４は、発注された消耗品の納品に関する情報及び納品された消耗品の使用に関する情報を入力可能に構成され、入力された情報は記憶部１６に記憶される。
本実施例に係る血液ガス分析装置１は、バーコードリーダ９ａを備えており、消耗品の使用時（即ち、消耗品を補充又は交換する時）に、バーコードリーダ９ａで消耗品に貼り付けられたバーコードから消耗品の識別情報を読み取ることで、消耗品の使用に関する情報は入力され得る。また、消耗品の使用に関する情報は、本実施例に限定されることなく、例えば、モニタを通して入力してもよく、また、消耗品に識別情報を記憶したＲＦＩＤを付しておき、血液ガス分析装置１にＲＦＩＤ読取装置（図示せず）を設け、ＲＩＩＤ読取装置で交換又は補充するべき消耗品のＲＦＩＤから識別情報を読み取ることで、消耗品の使用に関する情報を入力するように構成してもよい。
納品に関する情報には納品日が含まれ、使用に関する情報には交換又は補充のために消耗品が使用された日が含まれる。
在庫管理部１４は、モニタ３を通して在庫状況を表示できるように構成されている。
この在庫管理部１４によって記憶部１６に記憶された情報は、消耗品発注部１３における消耗品発注処理にも反映され得る。具体的には、消耗品発注部１３は、使用者が消耗品の発注をする時に、消耗品の在庫状況に基づいて消耗品の発注の適切性を判断して、使用者にその結果を表示することができるように構成され得る。具体的には、使用者が発注しようとしている消耗品の在庫が十分にある場合には、電子メールを作成して送信する前に、「在庫が＊＊個ありますが、よろしいですか？」等の確認表示を表示するように構成され得る。
【００１４】
使用状況解析部１５は、消耗品発注部１３及び在庫管理部１４によって、その都度、更新される記憶部１６の情報に基づいて、消耗品の使用状況の解析を行う。
例えば、過去の消耗品発注情報の履歴を解析し、消耗品が定期的に発注されている場合には、消耗品が発注される時期や間隔を学習して、その結果を使用者に表示する。具体的には、例えば、慢性透析療法を実施している病院等では、定期的な周期でほぼすべての患者を対象として血液ガス分析を行うため、途中で消耗品が不足しないように、すべての患者を対象として血液ガス分析を行う前に消耗品の発注を行うことが多い。使用状況解析部１５は、記憶部１６の情報に基づいて、次に慢性透析療法のために血液ガス分析を行う時期を学習し、その結果をモニタ３等を通して使用者に表示する。
また、記憶部１６には、上記した情報の他、分析回数、洗浄回数、較正回数、電極の使用開始日等の血液ガス分析装置１の使用状況に関する情報も記憶するように構成されている。
使用状況解析部１５は、記憶部１６に記憶されている消耗品発注情報及び消耗品使用情報と、血液ガス分析装置１の使用状況に関する情報とを解析して、消耗品が不足する時期や交換が推奨される時期を予測し、その予測結果を、モニタ３を通して使用者へ、又は電子メールによってサーバー装置２０等へ送信し得るように構成され得る。
また、この使用状況解析部１５による解析結果は、消耗品発注部１３において表示する前記リストにも反映され得る。具体的には、この使用状況解析部１５による解析結果に基づいて、消耗品発注部１３において消耗品リストを表示する際に、交換時期が近い又は不足している消耗品を優先的にリストの上位に表示するように構成され得る。
【００１５】
サーバー装置２０、消耗品仲介業者用端末装置３０及びメンテナンス業者用端末装置４０には、それぞれ、電子メールにより送信されてくる消耗品発注情報を自動的に解析する消耗品発注情報解析部２１，３１及び４１、並びに送受信部２２，３２及び４２を備えている。
消耗品仲介業者は、消耗品仲介業者用端末装置３０へ送信されてきた電子メールの解析結果に基づいて、消耗品の種類及び数と、消耗品を納品すべき血液ガス分析装置の設置されている施設に関する情報を取得し、消耗品の納品を行う。尚、好ましくは、消耗品仲介業者は、消耗品仲介業者用端末装置３０を介して消耗品の納品予定日等を血液ガス分析装置１へ電子メールの形態で送信し、血液ガス分析装置１は送受信部１７によって前記電子メールを受信し、在庫管理部１４に消耗品及び納品予定日に関する情報が送られ、記憶部１６に記憶される。
メンテナンス業者も同様に、メンテナンス業者用端末装置４０へ送信されてきた電子メールの解析結果に基づいて、消耗品の種類及び数と、消耗品を納品すべき血液ガス分析装置の設置されている施設に関する情報を取得し、消耗品の納品を行う。尚、好ましくは、メンテナンス業者は、メンテナンス業者用端末装置４０を介して消耗品の納品予定日等を血液ガス分析装置１へ電子メールの形態で送信し、血液ガス分析装置１は送受信部１７によって前記電子メールを受信し、在庫管理部１４に消耗品及び納品予定日に関する情報が送られ、記憶部１６に記憶される。
【００１６】
次に、上記したように構成された血液ガス分析装置メンテナンスシステムにおける消耗品発注部１３を構成する操作パネル（モニタ３）の一実施例を説明していく。図４Ａ〜図４Ｆは、消耗品発注部１３を構成する操作パネルの一実施例を示している。図４Ａは、モニタ３の測定待ち画面であり、測定対象物（血液又は透析液）及び測定容器（シリンジ又はキャピラリ）を選択した後、「測定」ボタンをタッチ又はクリックすると測定を開始するように構成されている。この図４Ａに示す測定待ち画面において、右下にある「メンテナンス」ボタンをタッチ又はクリックすると、モニタ３の画面は図４Ｂに切り替わる。この画面はメンテナンスメニューを表す画面である。ここで、「消耗品発注」ボタンをタッチ又はクリックすると、モニタ３は図４Ｃに示す選択画面に切り替わる。この画面は、「消耗品発注」と「消耗品発注履歴」とを選択する画面であり、各ボタンをタッチ又はクリックすると、それぞれの画面に切り替わる。図４Ｄは、図４Ｃにおいて「消耗品発注」をタッチ又はクリックすると表示される消耗品リスト画面である。ここで、使用者が、発注すべき消耗品を選択すると個数選択画面がリストの横に表示され発注すべき個数を選択できるようになる（図４Ｅ）。
この消耗品リスト画面は、コード番号順又は品名順に表示してもよいが、使用状況解析部１５の解析結果を反映させて、交換時期が近い又は不足している消耗品を上位に表示するようにしてもよく、また、在庫管理部１４の在庫状況を反映させて在庫が少ない消耗品を上位に表示するようにしてもよく、また、これらをボタンで切り替えるように構成してもよい。さらに、図４Ｄ及び図４Ｅでは、リストが矢印ボタンで上下にスクロールするように構成されているが、必要に応じて検索ボックスを設けたり、消耗品を種別毎に分類し、種別後に表示するように構成してもよい。図４Ｄ及び図４Ｅにおいて発注すべき消耗品の種類と数を全て決定した後、「注文」ボタンをタッチ又はクリックすると確認用メッセージ（図４Ｆ）が表示され、「ＯＫ」ボタンをタッチ又はクリックすると、少なくとも対応する血液ガス分析装置の識別情報と消耗品発注情報とを含む発注用電子メールを自動的に作成され、送信される。尚、前記リストに表示される各消耗品には、消耗品仲介業者を通して取得可能な消耗品と、メンテナンス事業者から直接取得可能な消耗品との識別ができる識別情報が含まれており、電子メールの宛先は、サーバー装置２０に加えて、選択された消耗品に対応する業者が加えられる。
【００１７】
上記した実施例では、消耗品の在庫の管理を全て個々の血液ガス分析装置１で行うように構成されているが、これは本実施例に限定されることなく、例えば、サーバー装置２０に記憶部１６に相当する記憶部２３と、在庫管理部１４に相当する在庫管理部２４と、使用状況解析部１５に相当する使用状況解析部２５を設け、血液ガス分析装置１から消耗品発注情報に加えて、使用状況に関する情報及び納品された消耗品の使用に関する情報を受信し、かつ、消耗品仲介業者用端末装置３０及びメンテナンス業者用端末装置４０から消耗品の納品に関する情報を受信し、これらを全て各血液ガス分析装置１の識別情報に関連付して記憶部２２に記憶し、在庫管理部２３で在庫管理を行い、かつ、使用状況解析部２４で使用状況の解析をして、消耗品に関する各種予測を行うように構成してもよい。
このように個々の血液ガス分析装置１において、在庫の管理及び使用状況の解析や予測を行うのではなく、これらの処理をサーバー装置２０で行うようにすることにより、施設単位での在庫管理や使用状況の解析及び予測を行うことが可能になり、より効率のよい在庫管理及び予測を行うことが可能になる。
また、この場合、サーバー装置２０において予測された予測結果は対応する血液ガス分析装置１へ送られる。また、好ましくは、血液ガス分析装置１の記憶部１６とサーバー装置２０の記憶部２２とは定期的に同期するように構成され得る。
【符号の説明】
【００１８】
１  血液ガス分析装置
２  ケーシング
３  モニタ
４  プリンタ
５  較正液タンク
６  廃液タンク
７  洗浄タンク
８  容器装着部
８ａ  容器検知センサ
９ａ  バーコードリーダ
９ｂ  ヒト検知センサ
１０  動作管理部
１１  分析・較正部
１２  精度管理部
１３  消耗品発注部
１４  在庫管理部
１５  使用状況解析部
１６  記憶部
１７  送受信部
２０  サーバー装置
２１  消耗品発注情報解析部
２２  送受信部
２３  記憶部
２４  在庫管理部
２５  使用状況解析部
３０  消耗品仲介業者用端末装置
３１  消耗品発注情報解析部
３２  送受信部
４０  メンテナンス業者用端末装置
４１  消耗品発注情報解析部
４２  送受信部
【図１】
2017221386.tif 000003
【図２】
2017221386.tif 000004
【図３】
2017221386.tif 000005
【図４Ａ】
2017221386.tif 000006
【図４Ｂ】
2017221386.tif 000007
【図４Ｃ】
2017221386.tif 000008
【図４Ｄ】
2017221386.tif 000009
【図４Ｅ】
2017221386.tif 000010
【図４Ｆ】
2017221386.tif 000011
【国際調査報告】
2017221386.tif 000012
2017221386.tif 000013
2017221386.tif 000014
2017221386.tif 000015